(57)【要約】【課題】  プラントを立ち上げるときに複数のプラント機器およびネットワーク監視装置などの全装置に電源が一斉に投入されるため、ネットワーク監視装置よりも起動時間がかかる機器に関しては、ネットワーク監視装置は当該機器が起動するまで当該機器を異常と認識してしまい、不要な警報を出力させてしまうようになっていた。そこで、複数の被監視機器の異常の有無をネットワークを介して監視するネットワーク監視装置において、被監視機器の起動中にネットワーク監視装置が誤動作しないようにする。【解決手段】  複数の被監視機器の異常の有無をネットワークを介して監視するネットワーク監視装置において、前記各被監視機器の起動時間を監視し前記起動時間経過後に前記各被監視機器の異常の有無を監視することを特徴とするネットワーク監視装置。【選択図】図２
2006324951.tif 000002
【特許請求の範囲】
【請求項１】
複数の被監視機器の異常の有無をネットワークを介して監視するネットワーク監視装置において、前記各被監視機器の起動時間を監視し前記起動時間経過後に前記各被監視機器の異常の有無を監視することを特徴とするネットワーク監視装置。
【請求項２】
請求項１に記載のネットワーク監視装置において、前記各被監視機器の起動時間が実起動時間の学習に基づいた起動時間であることを特徴とするネットワーク監視装置。
【発明の詳細な説明】
【技術分野】
【０００１】
この発明は、複数の機器がネットワークを介して、制御・監視情報をやり取りするプラント監視制御システムのネットワーク監視装置に関するものである。
【背景技術】
【０００２】
プラント監視制御システムでは、一般に、プラントを構成する複数のプラント機器とネットワークを介して制御・監視情報をやり取りする１台または複数台のネットワーク監視装置を設け、当該ネットワーク監視装置によってネットワーク上のプラント機器の異常の監視を行っている。
【０００３】
また、このようなプラントでは、プラントを立ち上げるときに、複数のプラント機器およびネットワーク監視装置などの全装置に一斉に電源を投入する。
【０００４】
従来、このようなシステムのネットワーク監視は、ネットワーク監視装置でプラント機器の作動状態をプラント機器からの送信データを監視することにより行うか、SNMP（Simple  Network  Management  Protocol）といった標準プロトコルを用いて監視することによって行っていた。
【０００５】
なお、上述のような具体的記載は無いが、この種のネットワーク監視装置の事例としては、例えば特許文献１がある。
【特許文献１】特開平１１−３３１１５９号公報（段落番号「０００２」）
【発明の開示】
【発明が解決しようとする課題】
【０００６】
前述のように、従来では、プラントを立ち上げるときに複数のプラント機器およびネットワーク監視装置などの全装置に電源が一斉に投入されるため、ネットワーク監視装置よりも起動時間がかかる機器に関しては、ネットワーク監視装置は当該機器が起動するまで当該機器を異常と認識してしまい、不要な警報を出力させてしまうようになっていた。
【０００７】
この発明は、前述のような実情に鑑みてなされたもので、複数の被監視機器の異常の有無をネットワークを介して監視するネットワーク監視装置において、被監視機器の起動中にネットワーク監視装置が誤動作しないようにすることを目的とするものである。
【課題を解決するための手段】
【０００８】
この発明に係るネットワーク監視装置は、複数の被監視機器の異常の有無をネットワークを介して監視するネットワーク監視装置において、前記各被監視機器の起動時間を監視し前記起動時間経過後に前記各被監視機器の異常の有無を監視することを特徴とするネットワーク監視装置である。
【発明の効果】
【０００９】
この発明は、複数の被監視機器の異常の有無をネットワークを介して監視するネットワーク監視装置において、前記各被監視機器の起動時間を監視し前記起動時間経過後に前記各被監視機器の異常の有無を監視するようにしたので、複数の被監視機器の異常の有無をネットワークを介して監視するネットワーク監視装置において、被監視機器の起動中にネットワーク監視装置が誤動作しなくなるという効果がある。
【発明を実施するための最良の形態】
【００１０】
実施の形態１．
以下この発明の実施の形態１を図１および図２により説明する。図１はプラント監視制御システムの全体構成を例示する図、図２はネットワーク監視の動作事例をフローチャートで示す図ある。
【００１１】
図１において、ネットワーク監視装置１１およびネットワーク上の被監視装置である各種プラント機器１３〜１６が、ネットワーク１７を介して連接され、監視・制御情報のやり取りを行っている。また、ネットワーク監視装置は、監視のための表示器１２を有する。
【００１２】
次に、図２によりネットワーク監視装置の動作を説明する。
【００１３】
ネットワーク監視装置は、起動後、ネットワークに接続されている被監視機器の監視を開始する。ネットワーク監視装置は予め決められた順番に従って、被監視装置１３から監視を開始し、被監視装置１３からのデータが正常に受信されているか又はネットワーク監視装置からの状態問い合わせに対し応答があるかどうかを判定する（ステップＳＴ２１）。
【００１４】
正常に受信されている場合、又は正常に応答があった場合は、当該機器は正常であると判断し表示器１２に緑色等で正常表示を行い（ステップＳＴ２２）、次の被監視機器の監視に移る（ステップＳＴ２３）。
【００１５】
前述のステップＳＴ２１では、被監視機器からのデータが正常に受信されていない場合、またはネットワーク監視装置からの状態問い合わせに対して応答がない場合は、予め決められた予想起動時間が経過しているかどうかを判断する（ステップＳＴ２４）。予め決められた予想起動時間が経過していない場合は、被監視機器は起動途上であると判断し、表示器１２に黄色等で起動中表示を行い（ステップＳＴ２５）、次の被監視機器の監視に移る（ステップＳＴ２３）。
【００１６】
前述のステップＳＴ２４で、予め決められた予想起動時間が経過している場合には、被監視機器が起動に失敗したと判断し、表示器１２に赤色等で警報表示を行い（ステップＳＴ２６）、次の被監視機器の監視に移る（ステップＳＴ２３）。
【００１７】
前述のステップＳＴ２１〜ステップＳＴ２６の処理を、全ての被監視装置に対して繰り返し行う。
【００１８】
前述のように、この発明の実施の形態１によれば、起動途上の機器については不要な警報を出力することなく、効果的なネットワーク監視が行える。
【００１９】
換言すれば、複数の被監視機器の異常の有無をネットワークを介して監視するネットワーク監視装置において、前記各被監視機器の起動時間を監視し前記起動時間経過後に前記各被監視機器の異常の有無を監視するようにしたので、複数の被監視機器の異常の有無をネットワークを介して監視するネットワーク監視装置において、被監視機器の起動中にネットワーク監視装置が誤動作しなくなる。
【００２０】
実施の形態２．
以下、この発明の実施の形態２を、ネットワーク監視の動作事例をフローチャートで示す図３により説明する。
【００２１】
前述のこの発明の実施の形態１では、被監視機器の予想起動時間を予め決めておいたが、この発明の実施の形態２では、過去の起動にかかった時間をネットワーク監視装置が学習し、最適な予想起動時間とすることが可能となる。
【００２２】
次に、図３によりネットワーク監視装置の動作を説明する。
【００２３】
図３において、被監視機器の正常判定（ステップＳＴ２１）は、前述のこの発明の実施の形態１と同じである。
【００２４】
ステップＳＴ２１で、被監視機器が正常と判断された後、ネットワーク監視装置の起動から被監視機器が正常と判断された時間T1を記憶し（ステップＳＴ３１）、現在の予想起動時間Taとの平均を計算して新たな予想起動時間とする（ステップＳＴ３２）。
【００２５】
次回の起動中判定時にはこの新たな予想起動時間を使用し、ある程度の誤差Tbを考慮した上で、起動中を判断する（ステップＳＴ３３）。
【００２６】
前述のように、この発明の実施の形態２によれば、プラントの立ち上がりが繰り返される度に、最適な予想起動時間を学習してゆくことが可能で、効果的なネットワーク監視が行える。
【００２７】
換言すれば、複数の被監視機器の異常の有無をネットワークを介して監視するネットワーク監視装置において、前記各被監視機器の起動時間を監視し前記起動時間経過後に前記各被監視機器の異常の有無を監視するネットワーク監視装置であって、前記各被監視機器の起動時間が実起動時間の学習に基づいた起動時間であるので、複数の被監視機器の異常の有無をネットワークを介して監視するネットワーク監視装置において、被監視機器の起動中にネットワーク監視装置が誤動作しなくなり、効果的なネットワーク監視が行える。
【図面の簡単な説明】
【００２８】
【図１】この発明の実施の形態１を示す図で、プラント監視制御システムの全体構成を例示する図である。
【図２】この発明の実施の形態１を示す図で、ネットワーク監視の動作事例をフローチャートで示す図である。
【図３】この発明の実施の形態２を示す図で、ネットワーク監視の動作事例をフローチャートで示す図である。
【符号の説明】
【００２９】
１１    ネットワーク監視装置、
１２    ネットワーク監視装置用表示器、
１３〜１６    プラント機器（被監視装置）、
１７    プラント用ネットワーク。
【図１】
2006324951.tif 000003
【図２】
2006324951.tif 000004
【図３】
2006324951.tif 000005